(57)【特許請求の範囲】
【請求項１】
シャフトとこのシャフトの両端に保持されるフランジと、前記シャフト上で前記フランジ間に連接して設けられる２つで一連のテーパ溝付パイプと、このテーパ溝付パイプ上でそのテーパ溝に嵌入するテーパ部を有したプレートとを具備し、前記テーパ溝付パイプは、前記シャフトの両端と中央で段付きとした部分に嵌め込み、前記プレートは前記テーパ溝付パイプから一部突き出してケーブルの巻き付け部としてなることを特徴とするボビン。
【請求項２】
前記フランジにパラフィンが流れ得る穴を設け、この穴に連ねて前記テーパ溝付パイプ外周上にパラフィンの流れる流路を形成した、請求項１記載のボビン。
【請求項３】
前記シャフトとテーパ溝付パイプとの間でシールをしてなる、請求項１記載のボビン。
【発明の詳細な説明】
【０００１】
【発明の属する技術分野】
本発明は、円筒状に巻き付けるケーブルの束状の形が崩れないようにパラフィンで固め成形したケーブル束を製造するための、解体可能でパラフィン塗布可能なボビンに関する。
【０００２】
【従来の技術】
ボビン上に巻き付けるケーブルの束崩れを防止するために、円筒状に巻き付けたケーブルにパラフィンを塗布し、その後、ボビンを解体する方法が採られていた。
【０００３】
図３は、従来のこの種のボビンを示している。このボビンは、２枚のフランジ１５，１５の間にロッド１２の多数を円周上に等間隔で配列し、各ロッド１２の両端をフランジ１５に固定してなるものである。１３は中空のシャフトで両端にフランジ１４を介してナット１４をねじ込むことにより、フランジ１４を固定している。
【０００４】
このボビンは、ロッド１２の多数が円周上で配列されることで、ケーブルを巻き付ける胴となり、ロッド１２の隣り合う隙間からパラフィンを塗布できるようになっている。
【０００５】
両側のフランジ１５，１５を取り外すと複数のロッド１２を取り除くことが可能となり、円筒状に巻き付けるケーブルを束状のままパラフィンで固め成形した、いわゆるケーブル束を製造することができる。
【０００６】
【発明が解決しようとする課題】
前述した従来；図３のボビンにおいて、巻き付けるケーブルが長尺になってくると、これを巻き付けるボビンの重量、及びボビンへの締付け力が大きくなり、強度的にボビンの変形が生じて原形を保持できず、しかも解体が不可能となる（ロッドでケーブルを支えるため、ロッドが長くなると撓みが発生する）。
【０００７】
上記の理由から、ボビンの大きさに寸法制限があり、大サイズのボビンを得ることが不可能であった。
【０００８】
そこで本発明の目的は、ケーブル重量及び締付け力に十分耐えて長尺のケーブルを巻き付けることを可能にし、解体も容易でパラフィンの含浸も容易な、長尺ケーブルを満巻きのままで解体可能かつパラフィン塗布可能なボビンを提供することにある。
【０００９】
【課題を解決するための手段】
本発明により提供するボビンは、シャフトとこのシャフトの両端に保持されるフランジと、前記シャフト上で前記フランジ間に連接して設けられる２つで一連のテーパ溝付パイプと、このテーパ溝付パイプ上でそのテーパ溝に嵌入するテーパ部を有したプレートとを具備し、前記テーパ溝付パイプは、前記シャフトの両端と中央で段付きとした部分に嵌め込み、前記プレートは前記テーパ溝付パイプから一部突き出してケーブルの巻き付け部としてなることを特徴とする。
【００１０】
前記フランジにパラフィンが流れ得る穴を設け、この穴に連ねて前記テーパ溝付パイプ外周上にパラフィンの流れる流路を形成してあると良い。
【００１１】
前記シャフトとテーパ溝付パイプとの間でシールをしてなると良い。
【００１２】
【発明の実施の形態】
図１は、本発明に係るボビンの好ましい実施例を分解状態で示したもので、図２に組み立て状態を示している。
【００１３】
この実施例のボビンは、中空のシャフト３と、このシャフトの両端に保持されるフランジ４と、シャフト３上でフランジ４の間に連接して設けられる２つで一連のテーパ溝付パイプ２と、このテーパ溝付パイプ上でそのテーパ溝に嵌入するテーパ部を有したプレート１とを具備したものである。
【００１４】
テーパ溝付パイプ２は、シャフト３の両端と中央で段付きとした部分８ａ，８ｂに嵌め込み、この部分でパッキン６ａ，６ｂを設けることにより、テーパ溝付パイプ２とシャフト３との間でシールを図っている。
【００１５】
プレート１は、テーパ溝付パイプ２のテーパ溝に一部が嵌め込まれることによって、テーパ溝付パイプ２から一部が突き出し、この突き出し部分でケーブルの巻き付け部を形成してなるものである。また、その突き出し部分の間でテーパ溝付パイプを底とする樋状の溝を形成し、この溝をパラフィンの流れる流路としている。
【００１６】
フランジ４には、パラフィンの流れ得る穴９，１０を設け、穴９はフランジ４の外周縁に近い位置に設けられる。穴１０は前記樋状の溝を臨む位置に設けられる。
【００１７】
このような各部からなるボビンの組み立て要領は、まず、中空のシャフト７の中央にある段部分８ａにパッキン６ａを装着し、シャフト３の両端から２本のテーパ溝付パイプ２を差し込み、これらテーパ溝付パイプ２の突き合わせ部をパッキン６ａで密接にし、パラフィンが浸入するのを防止する。また、シャフト７の両端にある段部分８ｂにもパッキン６ｂを装着し、各テーパ溝付パイプ２の端部をシールし、ここでもパラフィンが浸入するのを防止する。
【００１８】
次に、突き合わされた２本のテーパ溝付パイプ２の複数のテーパ溝にテーパ付プレート１をそれぞれ組み込み、この組み込まれたプレート１をテーパ溝付パイプ２の外周から一部突き出るようにし、その突き出し部、つまり、凸部を巻き付け胴として使用し、凸部間にできる凹部はパラフィン流路とする。
【００１９】
フランジ４をテーパ溝付パイプ２の両側にセットし、ボルト７をフランジ４に通してプレート１の端部にねじ込むことにより、フランジ４にプレート１を固定する。また、シャフト７の両端は、フランジ４から突き出させ、この端部のネジにナット５を締め付けることにより、フランジ４の固定を図る。
【００２０】
このようにして組み立てられたボビンは、フランジ４の間のプレート１の外部突き出し部で形成される巻き胴上にケーブルを巻き付け、そして、ボビン解体時にケーブルが崩れないように、図２のように、ケーブル１１を巻いたボビン毎、パラフィン溶解槽に浸す。この時、パラフィンは、フランジの穴１０を通りボビンの胴体部のテーパ溝付パイプ２とテーパプレート１によって形成された溝の部分を流れ込む。また、フランジ４で押さえられた端面は、フランジの複数の穴９からパラフィンを含浸する。
【００２１】
このようにパラフィンをボビンの胴体部へ十分に浸入させる。この時、テーパ溝付パイプ２とシャフト３の段付き部分へのパラフィンの浸入をパッキン６ａで阻止する。
【００２２】
以上のような本実施例のボビンによれば、ケーブルの長尺化に対応して、プレート１がテーパ溝付パイプ２のテーパ溝に密着させて力を支える構造とし、ケーブルの重量、張力による締め付け力に耐え得るようにするテーパ溝付パイプ２は、スリット状にしてプレート１を嵌め込み位置決めを図るようにしている。
【００２３】
巻き付けたケーブル１１が崩れずに束状を保持させるため、ボビン毎パラフィン溶解槽に投入し、ケーブル束の内外周、側面にパラフィンを含浸、つまり、側面はフランジ４のサイド穴９より、内面はフランジ４の穴１０よりそれぞれパラフィンを通し、プレート１とテーパ溝付パイプ２で形成される溝を流路としてパラフィンの流れ込みを図り、パラフィンの含浸を十分にする。
【００２４】
この時、パラフィンが、テーパ溝付パイプ２とシャフト３の間に流れ込むと、パラフィンにより接着された状態となり、ボビンの解体を困難にするため、フランジ４とテーパ溝付パイプ２、テーパ溝付パイプ２とシャフト３の結合部にパッキン６ａ，６ｂを挟み込み、テーパ溝付パイプ２とシャフト３の間へのパラフィンの流れ込みを防止するのである。
【００２５】
また、シャフト３には、中央部、両サイドに段部８ａ，８ｂを設け、テーパ溝付パイプ２を支持する構造とし、段部の幅分をずらすことでボビンの解体を容易に行える構造としている。解体は、テーパ溝付パイプ２をずらすことにより、プレート１とテーパ溝付パイプ２の接触しているテーパ部に隙間ができ、このことで解体の容易化を図っている。
【００２６】
この実施例のボビンによる効果を列挙すると、（１）従来；図３のボビンでケーブルを長尺巻きをするとボビンの胴体部強度に問題があったが、本実施例のようにパイプ構造にすることで強度的に大丈夫、（２）パイプの二重構造と胴体部の溝の形状によりケーブル全体にパラフィンを含浸させることが可能、（３）テーパの効果で容易に解体が可能となり、無理な力をかけないのでケーブルの束形状が崩れない。などの効果がある。
【００２７】
尚、前述した実施例では、テーパ溝付パイプ側にスリットを設けることで、プレートとの組み立て精度の向上を図れる。このスリットはなくても機能的に問題はないが、上記のようにスリットを設けることがより良いということである。
【００２８】
また、前述の実施例では、シャフトを中空としたが、ロッド状のシャフトを用いてテーパ溝付パイプの固定を図れればそれでも差し支えない。
【００２９】
【発明の効果】
以上の通り本発明によれば、ケーブル重量及び締付け力に十分耐えて長尺のケーブルを巻き付けることを可能にし、解体も容易でパラフィンの含浸も容易な、長尺ケーブルを満巻きのままで解体可能かつパラフィン塗布可能なボビンを提供するという所期の目的を達成することができる。
【図面の簡単な説明】
【図１】本発明に係るボビンの実施例を示す分解説明図。
【図２】図１のボビンでケーブルを巻き付けた後のパラフィン漬けしている状況を示す斜視説明図。
【図３】従来のボビンでケーブルを巻き付けた後のパラフィン漬けしている様子を示す斜視説明図。
【符号の説明】
１  プレート
２  テーパ溝付パイプ
３  シャフト
４  フランジ
５  ナット
６ａ  パッキン
６ｂ  パッキン
７  ボルト
８ａ  段部
８ｂ  段部
９  穴（パラフィン流通用）
１０  穴（パラフィン流通用）
１１  ケーブル
【図１】
0003959912.tif 000002
【図２】
0003959912.tif 000003
【図３】
0003959912.tif 000004